【手続補正書】
【提出日】平成16年3月19日(2004.3.19)
【手続補正１】
【補正対象書類名】特許請求の範囲
【補正対象項目名】全文
【補正方法】変更
【補正の内容】
【特許請求の範囲】
【請求項１】
あるシーンまたはある対象物のいくつかの視野（Ａｃ）に基づいて、前記シーンまたは対象物を立体視覚化するための方法であって、
列（ｋ）および行（ｌ）からなるマトリックス（Ｒｃ）上の視野（Ａｃ）が、その波長を特徴とする部分情報（ａｃｋｌ）の多数のビットに分解され、ここで、ｃ＝１，．．．，ｎであり、（ｎ）が視野の全数である工程と、
部分情報（ａｃｋｌ）の前記ビットが、列（ｉ）および行（ｊ）のマトリックス内に配置されている画像化素子（αｉｊ）により光学的に見える形で表示される工程と、
隣接する画像化素子（αｉｊ）が、異なる波長（λ）または異なる波長範囲（Δλ）の光を放射する工程と、
各観察位置から、観察者が一方の目で視野（Ａｃ）の第１の選択からの部分情報のビットを主に見、他方の目で視野（Ａｃ）の第２の選択からの部分情報のビットを主に見るように、前記画像化素子（αｉｊ）の可視セグメントの断面エリアの重心と、前記波長フィルタ（βｐｑ）の可視セグメントの断面エリアの重心とを結ぶ各直線が伝搬方向に対応するような方法で、個々の各画像化素子（αｉｊ）がいくつかの割り当てられた波長フィルタ（βｐｑ）に対応するか、または各１つの波長フィルタ（βｐｑ）がいくつかの割り当てられた画像化素子（αｉｊ）に対応するように、前記放射された光の伝搬方向が、異なる波長（λ）または異なる波長範囲（Δλ）に対して透明であり、画像化素子（αｉｊ）の前または後（視線の方向に）に配置されている列（ｐ）および行（ｑ）内に配置されている多くの個々の波長フィルタ（βｐｑ）の１つまたはいくつかのアレイにより形成される工程とを含み、
少なくとも１つの画像化素子（αｉｊ）が、少なくとも２つの異なる視野（Ａｃ）からの部分情報（ａｃｋｌ）のビットに同時に割り当てられることと、
この割当てが、前記部分情報（ａｃｋｌ）の波長が、前記波長（λ）に等しいか、または前記割り当てられた画像化素子（αｉｊ）が放射する光の波長範囲（Δλ）内に位置することとを特徴とする方法。
【請求項２】
部分情報（ａｃｋｌ）の前記ビットが、下式の規則により前記画像化素子（αｉｊ）に
割り当てられ、
【数１】
2005502969.tif 000001
ここで、
（ｇ）は５次テンソルであり、その要素（ｇｃｋｌｉｊ）は、実数であり、画像化素子（αｉｊ）内の各部分情報（ａｃｋｌ）の加重を決める加重係数として機能する請求項１に記載の方法。
【請求項３】
前記指数ｋがｉと等しくされ、前記指数ｌがｊと等しくされる工程と、
部分情報（ａｃｋｌ）の前記ビットが、下式の規則により前記画像化素子（αｉｊ）に割り当てられ、
【数２】
2005502969.tif 000002
この手順により、
各画像化素子（αｉｊ）が、視野（Ａｃ）のマトリックス（Ｒｃ）内だけで、同じ位置（ｉ，ｊ）からの部分情報（ａｃｉｊ）のビットを割り当てられる工程と、
（ｄｆ）が、実数値を使用でき、部分情報（ａｃｉｊ）のビットが平均して１つの画像化素子（αｉｊ）に割り当てられる視野の数を示す密度係数であり、各画像化素子（αｉｊ）に対して割り当てられた部分情報（ａｃｉｊ）のビットの加重合計が１に正規化される工程と、
を含む前記請求項の何れか１項に記載の方法。
【請求項４】
前記加重係数（ｇｃｉｊ）が、下式の規則により確立され、
【数３】
2005502969.tif 000003
ここで、
前記密度係数（ｄｆ）がすべての画像化素子（αｉｊ）に対して等しく、１より大きく、好適には、１．３〜２．０の範囲内の値を使用することと、
δ（ｘ）が条件δ（ｘ＝０）＝１およびδ（ｘ≠０）＝０を満足する関数であることと、
Ｒｎｄ（ｘ）が、小数点の後の引数（ｘ）の一部がゼロに等しくない場合に、前記引数ｘ≧０に対して、関数値として次に大きい整数を供給し、そうでない場合には、前記引数ｘ自身を供給する関数であることと、
「ｍｏｄ」が除数に関連する剰余類を示すことと、
Ｆｒａｃ（ｘ）が、引数ｘ≧０に対して、関数値として小数点の後の前記引数ｘの一部
を供給する関数であることと、
（ｔ）が整数であり、合計の上限が合計の下限より小さい場合には、合計に値「ゼロ」が割り当てられることと、
を特徴とする請求項３に記載の方法。
【請求項５】
前記密度係数（ｄｆ）が、下式の規則により確立され、
ｄｆ＝ｆ
（ｆ）が、下式の規則により決まる１つの正の実数であり、
【数４】
2005502969.tif 000004
ここで、
（ｚ）が、画像化素子（αｉｊ）のマトリックスと波長フィルタ（βｐｑ）のアレイとの間の距離であり、
（ｄａ）が、画像化素子（αｉｊ）のマトリックスと観察者または観察位置との間の可能な視野空間全体を通して、すべての距離の平均に本質的に対応する選択可能な視野距離であること、
を特徴とする前記請求項の何れか１項に記載の方法。
【請求項６】
前記加重係数が下式の規則により確立され、
【数５】
2005502969.tif 000005
ここで、
前記密度係数（ｄｆ）が、前記画像化素子（αｉｊ）のマトリックス内の位置（ｉ，ｊ）に依存すること、を特徴とする請求項３に記載の方法。
【請求項７】
前記密度係数（ｄｆ）が下式の関数により記述され、
【数６】
2005502969.tif 000006
ここで、
（ｃｐｅａｋ）は、選択可能な実数の正のパラメータであり、
（ｄｆｏｆｆｓｅｔ）は、前記関数値を高い値の方向にシフトさせる選択可能な実数の
正のパラメータであり、
関数ｉｎｔ（ｘ）は、関数値として、前記引数（ｘ）を超えない最大の整数を供給する関数、
である請求項６に記載の方法。
【請求項８】
あるシーンまたはある対象物のいくつかの視野（Ａｃ）に基づいて、前記シーンまたは対象物を立体視覚化するための方法であって、
列（ｋ）および行（ｌ）からなるマトリックス（Ｒｃ）上の視野（Ａｃ）を、その波長を特徴とする部分情報（ａｃｋｌ）の多数のビットに分解し、ここで、ｃ＝１，．．．，ｎであり、（ｎ）が視野の全数である工程と、
部分情報（ａｃｋｌ）の前記ビットを、列（ｉ）および行（ｊ）のマトリックス内に配置されている画像化素子（αｉｊ）により光学的に見える形で表示する工程と、
隣接する画像化素子（αｉｊ）が、異なる波長（λ）または異なる波長範囲（Δλ）の光を放射する工程と、
レンズによって、該放射光の伝播方向を規定する工程と、
からなり、
少なくとも１つの画像化素子（αｉｊ）が、少なくとも２つの異なる視野（Ａｃ）からの部分情報（ａｃｋｌ）のビットに同時に割り当てられることと、
この割当てが、前記部分情報（ａｃｋｌ）の波長が、前記波長（λ）に等しいか、または前記割り当てられた画像化素子（αｉｊ）が放射する光の波長範囲（Δλ）内に位置することとを特徴とする方法。
【請求項９】
あるシーンまたはある対象物のいくつかのモノクロ画像の視野（Ａｃ）に基づいて、前記シーンまたは対象物を立体視覚化するための方法であって、
列（ｋ）および行（ｌ）からなるマトリックス（Ｒｃ）上の視野（Ａｃ）を、部分情報（ａｃｋｌ）の多数のビットに分解し、ここで、ｃ＝１，．．．，ｎであり、（ｎ）が視野の全数である工程と、
部分情報（ａｃｋｌ）の前記ビットを、列（ｉ）および行（ｊ）のマトリックス内に配置されている画像化素子（αｉｊ）により光学的に見える形で表示する工程と、
すべての画像化素子（αｉｊ）が、同一波長（λ）または同一波長範囲（Δλ）の光を放射する工程と、
各観察位置から、観察者が一方の目で視野（Ａｃ）の第１の選択からの部分情報のビットを主に見、他方の目で視野（Ａｃ）の第２の選択からの部分情報のビットを主に見るように、前記画像化素子（αｉｊ）の可視セグメントの断面エリアの重心と、前記波長フィルタ（βｐｑ）の可視セグメントの断面エリアの重心とを結ぶ各直線が伝搬方向に対応するような方法で、個々の各画像化素子（αｉｊ）がいくつかの割り当てられた波長フィルタ（βｐｑ）に対応するか、または各１つの波長フィルタ（βｐｑ）がいくつかの割り当てられた画像化素子（αｉｊ）に対応するように、前記放射された光の伝搬方向が、異なる波長（λ）または異なる波長範囲（Δλ）に対して透明であり、画像化素子（αｉｊ）の前または後（視線の方向に）に配置されている列（ｐ）および行（ｑ）内に配置されている多くの個々の波長フィルタ（βｐｑ）の１つまたはいくつかのアレイにより形成される工程とを含み、
少なくとも１つの画像化素子（αｉｊ）が、少なくとも２つの異なる視野（Ａｃ）からの部分情報（ａｃｋｌ）のビットを同時に割り当てられることと、
を特徴とする方法。
【請求項１０】
密度係数（ｄｆ）がすべての画像化素子（αｉｊ）で等しく、かつ、１.３と２.０の間の値である請求項４に記載の方法。
【請求項１１】
指数ｋはｉに等しく、指数ｌはｊに等しく、部分情報（ａｃｋｌ）のビットが、下記の
式によって画像化素子（αｉｊ）に割り当てられ、
【数７】
2005502969.tif 000007
ここで、重み付け因子が下記の式によって定められ、
【数８】
2005502969.tif 000008
ここで、ｅｘａ，ｅｘｅ、ｅｙｅは下記の式に適用する補助変数であり、
【数９】
2005502969.tif 000009
合計の上限が合計の下限よりも小さい場合は、合計はゼロ値になる請求項８に記載の方法。
【請求項１２】
指数ｋはｉに等しく、指数ｌはｊに等しく、部分情報（ａｃｋｌ）のビットが、下記の式によって画像化素子（αｉｊ）に割り当てられ、
【数１０】
2005502969.tif 000010
ここで、重み付け因子が下記の式によって定められ、
【数１１】
2005502969.tif 000011
ここで、ｅｘａ，ｅｘｅ、ｅｙｅは下記の式に適用する補助変数であり、
【数１２】
2005502969.tif 000012
合計の上限が合計の下限よりも小さい場合は、合計はゼロ値になる請求項９に記載の方法。